(57)【要約】【課題】着用者の皮膚への損傷を抑制し、発熱体の保温性を向上させる下着装着体を提供する。【解決手段】下着装着体本体を備え、  前記下着装着体本体は、下着に当接する下着当接シートと、肌に当接する肌当接シートと、が内部に空間が形成されるように貼り合わされてなり、  前記下着当接シートは、発熱体を収容する発熱体収容部を有し、  前記空間には、織物が設けられ、  前記織物は、前記下着当接シートを介して、前記発熱体収容部に収容された前記発熱体と重畳するように配置されていることを特徴とする。【選択図】図１
2019187786.tif 000002
【特許請求の範囲】
【請求項１】
下着装着体本体を備え、
前記下着装着体本体は、下着に当接する下着当接シートと、肌に当接する肌当接シートと、が内部に空間が形成されるように貼り合わされてなり、
前記下着当接シートは、発熱体を収容する発熱体収容部を有し、
前記空間には、織物が設けられ、
前記織物は、前記下着当接シートを介して、前記発熱体収容部に収容された前記発熱体と重畳するように配置されていることを特徴とする、下着装着体。
【請求項２】
前記下着装着体本体は、一対の羽根部を有し、
前記一対の羽根部には、互いに着脱可能な着脱手段が設けられていることを特徴とする、請求項１に記載の下着装着体。
【請求項３】
前記発熱体収容部は、前記下着当接シートの中央寄りに配置されていることを特徴とする請求項１又は２に記載の下着装着体。
【請求項４】
前記発熱体収容部は、略長方形状であり、少なくとも一辺に開口部が形成されていることを特徴とする、請求項１〜３の何れかに記載の下着装着体。
【請求項５】
前記開口部には、その開口を狭める幅狭部が形成されていることを特徴とする、請求項４に記載の下着装着体。
【請求項６】
前記開口部は、伸縮性を有することを特徴とする、請求項４又は５に記載の下着装着体。
【請求項７】
前記織物は、パイル織物であることを特徴とする、請求項１〜６の何れかに記載の下着装着体。
【発明の詳細な説明】
【技術分野】
【０００１】
本発明は、主として女性用の下着に装着される下着装着体に係るものである。
【背景技術】
【０００２】
従来から、下着装着体として、女性のおりものや経血等を処理するためのナプキンが用いられてきた。
【０００３】
通常、このナプキンは、下着に、そのクロッチ部を覆うようにして取り付けることで着用される。
【０００４】
また、着用時に局部を温めることで、冷え性の改善や生理痛の低減のために、内部に発熱体を備えたナプキンが、種々提案されている。
【０００５】
例えば、特許文献１には、着用前における発熱反応の開始を抑え、着用開始時から効率よく着用者の子宮を温めて生理痛を低減するためのナプキンが記載されている。
【０００６】
また、特許文献２には、発熱体を備え、吸収された経血等の体液の滲み出しが抑制され、肌当接面のドライ感及び着用感に優れるナプキンが記載されている。
【先行技術文献】
【特許文献】
【０００７】
【特許文献１】特開２０１２−７５５６４号公報
【特許文献２】特開２００９−２６１５３６号公報
【発明の概要】
【発明が解決しようとする課題】
【０００８】
しかしながら、特許文献１に記載のナプキンは、発熱体が、肌に当接するシートに被覆されているのみであり、着用した着用者が、発熱体の熱により、皮膚への損傷を負う可能性が懸念される。
【０００９】
また、特許文献２に記載のナプキンは、上部に吸収体が介在してはいるものの、発熱体が、通気性を有するシートで被覆されていることから、発熱体の温度を長時間保持できない可能性が懸念される。
【００１０】
本発明は上記のような実状に鑑みてなされたものであり、着用者の皮膚への損傷を抑制し、発熱体の保温性を向上させる下着装着体を提供することを課題とする。
【課題を解決するための手段】
【００１１】
上記課題を解決するために、本発明は、
下着装着体本体を備え、
前記下着装着体本体は、下着に当接する下着当接シートと、肌に当接する肌当接シートと、が内部に空間が形成されるように貼り合わされてなり、
前記下着当接シートは、発熱体を収容する発熱体収容部を有し、
前記空間には、織物が設けられ、
前記織物は、前記下着当接シートを介して、前記発熱体収容部に収容された前記発熱体と重畳するように配置されていることを特徴とする。
【００１２】
本発明によれば、発熱体により発せられた熱が、織物を介して、局部に伝達するため、着用者の皮膚への損傷を抑制することが可能となる。また、発熱体により発せられた熱が、織物に取り込まれることにより、熱が外部に逃げにくく、発熱体の保温性を向上し、局部を長時間温めることが可能となる。
【００１３】
本発明の好ましい形態では、前記下着装着体本体は、一対の羽根部を有し、前記一対の羽根部には、互いに着脱可能な着脱手段が設けられていることを特徴とする。
【００１４】
このような構成とすることで、着用者は、下着装着体の、下着に対する着脱を容易にかつ安定的に行うことが可能となる。
【００１５】
本発明の好ましい形態では、前記発熱体収容部は、前記下着当接シートの中央寄りに配置されていることを特徴とする。
【００１６】
このような構成とすることで、発熱体が、下着装着体本体及び織物を介して、着用者の局部の適切な位置に当接され、熱を確実に局部に伝達することが可能となる。
【００１７】
本発明の好ましい形態では、前記発熱体収容部は、略長方形状であり、少なくとも一辺に開口部が形成されていることを特徴とする。
【００１８】
このような構成とすることで、着用者は、一般的な略長方形状の発熱体を、安定的に発熱体収容部に収容することが可能となる。
【００１９】
本発明の好ましい形態では、前記開口部には、その開口を狭める幅狭部が形成されていることを特徴とする。
【００２０】
このような構成とすることで、発熱体収容部に収容された発熱体の不意の脱離を防止することが可能となる。
【００２１】
本発明の好ましい形態では、前記開口部は、伸縮性を有することを特徴とする。
【００２２】
このような構成とすることで、着用者は、開口部への発熱体の挿入を容易に行うことが可能となる。
【００２３】
本発明の好ましい形態では、前記織物には、パイル織物が含まれていることを特徴とする。
【００２４】
このように、内部に空気を多く含むパイル織物を用いることで、発熱体の保温性をさらに向上させることが可能となる。
【発明の効果】
【００２５】
本発明によれば、着用者の皮膚への損傷を抑制し、発熱体の保温性を向上させる下着装着体を提供することができる。
【図面の簡単な説明】
【００２６】
【図１】本発明の実施形態に係る下着装着体を示す図であって、（ａ）平面図、（ｂ）ＸＸ線断面図、（ｃ）（ｂ）の部分拡大図である。
【図２】本発明の実施形態に係る下着装着体の概略斜視図である。
【図３】本発明の実施形態に係る下着装着体における下着装着体本体及び発熱体収容部の配置関係を示す図である。
【図４】本発明の実施形態に係る下着装着体の使用例を示す図である。
【図５】本発明の実施形態に係る下着装着体の使用例を示す図である。
【発明を実施するための形態】
【００２７】
以下、図１〜図５を用いて、本発明の実施形態に係る下着装着体について説明する。なお、以下に示す実施形態は本発明の一例であり、本発明を以下の実施形態に限定するものではない。
【００２８】
図１に示すように、本実施形態に係る下着装着体は、下着に当接する下着当接シート１１と、肌に当接する肌当接シート１２と、から構成される、下着装着体本体１を備えている。
なお、以下説明の便宜上、図１（ａ）に示す切断線であるＸＸ線方向を左右方向、左右方向と直交する方向を前後方向とする。
【００２９】
下着に当接する下着当接シート１１及び肌に当接する肌当接シート１２は、共に、全体が綿や麻、絹、羊毛等の動植物繊維、レーヨンやナイロン、ポリエステル等の化学繊維等を用いた柔軟性のある素材により形成されている。
特に、下着当接シート１１は、ニット生地やガーゼ生地により形成することが好ましい。また、肌当接シート１２は、オーガニックコットンを含む繊維により形成することが好ましい。
【００３０】
図１（ａ）に示すように、下着当接シート１１及び肌当接シート１２は、共に左右方向に一対の羽根部１３を有する、四方が丸みを帯びた略菱形状であり、略同一の大きさである。また、下着当接シート１１及び肌当接シート１２は、その周縁部が縫合さることにより、内部に空間Ｓ（図１（ｃ）参照）が形成されるように、貼り合わされている。
【００３１】
一対の羽根部１３には、互いに着脱可能な着脱手段Ｒとして、スナップボタンが設けられている。
詳述すれば、下着当接シート１１における左方の羽根部１３には、スナップボタンの雄が設けられ、肌当接シート１２における右方の羽根部１３には、スナップボタンの雌が、間隔を空けて２つ設けられている。このようにすることで、着用者は、スナップボタンの雄に係合させるスナップボタンの雌により、本実施形態に係る下着装着体を下着に固定する際の、固定の強度を変化させることができる。
なお、スナップボタンの数は、これに限定されず、雄雌共に１つずつでも良いし、雌を３つ以上設けても良い。また、着脱手段Ｒは、スナップボタンに限られず、例えば、面ファスナーや磁石等を用いても良い。
【００３２】
下着当接シート１１は、その外面に、発熱体Ｈ（図４参照）を収容する発熱体収容部１１ａを有している。
詳述すれば、発熱体収容部１１ａは、略長方形状であり、その長辺方向と前後方向とが略平行となるように、下着当接シート１１の略中央に設けられている。
また、発熱体収容部１１ａは、伸縮性を有しており、下着当接シート１１及び肌当接シート１２と同様に、全体が綿や麻、絹、羊毛等の動植物繊維、レーヨンやナイロン、ポリエステル等の化学繊維等を用いた柔軟性のある素材により形成されている。
【００３３】
図１（ｂ）及び（ｃ）に示すように、空間Ｓには、織物Ｐが２枚積層された態様で設けられている。
織物Ｐは、下着装着体本体１の略中央に設けられており、発熱体収容部１１ａに収容された発熱体Ｈと、下着当接シート１１を介して重畳するように構成されている。
なお、織物Ｐは、パイル生地が好適に用いられるが、ネル生地やフランネル生地、ニット生地、ガーゼ生地等であっても良く、異種の生地を複数枚積層しても良い。また、積層する枚数は、２枚に限られず、３枚以上であっても良いし、積層せずに１枚だけ設けても良い。
【００３４】
図２（ａ）に示すように、発熱体収容部１１ａの前方の短辺には、開口部Ａが形成されている。また、開口部Ａの左右方向には、その開口を狭める幅狭部Ｗが一対形成されている。
【００３５】
図２（ｂ）に示すように、肌当接シート１２は、その略中央に、局部に当接する略小判形の隆起部１２ａを有している。
【００３６】
以下、図３を用いて、下着装着体本体１に対する発熱体収容部１１ａの配置関係及び下着装着体本体１と発熱体収容部１１ａの大きさについて説明する。
【００３７】
まず、下着装着体本体１に対する発熱体収容部１１ａの配置関係に関して、発熱体収容部１１ａは、下着装着体本体１の左右方向の略中央に配置されていることが好ましい。
即ち、図３において、下着装着体本体１の一対の羽根部１３の各頂点から発熱体収容部１１ａの各長辺までの長さｄ１及びｄ２に関して、ｄ１≒ｄ２とすることが好ましい。
【００３８】
また、発熱体収容部１１ａは、発熱体収容部１１ａの前後方向の中心が、下着装着体本体１の一対の羽根部１３の各頂点を結んだ仮想線Ｌよりも若干後方となるように配置されていることが好ましい。
即ち、図３において、仮想線Ｌから発熱体収容部１１ａの後方短辺までの長さｄ３及び仮想線Ｌから発熱体収容部１１ａの前方短辺までの長さｄ４に関して、ｄ３：ｄ４≒３：２とすることが好ましい。
【００３９】
次に、下着装着体本体１の大きさに関して、下着装着体本体１の前後方向の長さ（Ｄ１）及び左右方向の長さ（Ｄ２）は、共に１６０ｍｍ〜２００ｍｍの範囲で構成することが好ましい。
【００４０】
また、発熱体収容部１１ａの大きさに関して、長辺の長さ（Ｄ３）は、９０ｍｍ〜１０５ｍｍの範囲で構成することが好ましく、後方の短辺の長さ（Ｄ４）は、５５ｍｍ〜７５ｍｍの範囲で構成することが好ましく、開口部Ａの長さ（Ｄ５）は、４０ｍｍ〜５０ｍｍの範囲で構成することが好ましい。
【００４１】
下着装着体本体１及び発熱体収容部１１ａを、上記のような大きさ及び配置関係とすることで、発熱体収容部１１ａに収容された発熱体Ｈと着用者の局部とが、下着装着体本体１及び織物Ｐを介して、適切な位置で当接され、着用者の局部を確実に温めることができる。
【００４２】
本実施形態に係る下着装着体を使用する際には、まず、下着当接シート１１が有する発熱体収容部１１ａに発熱体Ｈを収容する（矢印ｐ１）。
詳述すれば、図４（ａ）に示すように、一対の幅狭部Ｗにより、その開口が狭められた開口部Ａの開口長さｗ１は、略長方形状の発熱体Ｈの短辺の長さｗ２よりも短く形成されているため、着用者は、開口部Ａを押し広げ、発熱体収容部１１ａの内部に発熱体Ｈを挿入する。こうすることで、図４（ｂ）に示す状態とすることができる。
【００４３】
次に、着用者は、図５（ａ）に示すように、下着Ｕの前後方向と本実施形態に係る下着装着体の前後方向を一致させ、下着Ｕのクロッチ部Ｕ１に発熱体収容部１１ａを当接させることで（矢印ｐ２）、図５（ｂ）に示すような状態とする。
【００４４】
次に、着用者は、図５（ｂ）に示す状態から、一対の羽根部１３にそれぞれ設けられた着脱手段Ｒを、クロッチ部Ｕ１を巻き込むようにして係合させることで（矢印ｐ３）、図５（ｃ）に示すような状態となり、本実施形態に係る下着装着体が、下着Ｕに固定される。
【００４５】
こうすることで、着用者は、肌当接シート１２が有する隆起部１２ａが局部に当接する態様で、下着Ｕを着用することができる。
【００４６】
本実施形態によれば、発熱体Ｈにより発せられた熱が、積層された複数の織物Ｐを介して、局部に伝達するため、着用者の皮膚への損傷を抑制することが可能となる。また、発熱体Ｈにより発せられた熱が、積層された複数の織物Ｐに取り込まれることにより、熱が外部に逃げにくく、発熱体Ｈの保温性を向上し、局部を長時間温めることが可能となる。
【００４７】
また、下着装着体本体１が、一対の羽根部１３を有し、一対の羽根部１３には、互いに着脱可能な着脱手段Ｒが設けられていることで、着用者は、本実施形態に係る下着装着体の、下着Ｕに対する着脱を容易にかつ安定的に行うことが可能となる。
【００４８】
また、発熱体収容部１１ａが、略長方形状であり、前方短辺に開口部Ａが形成されていることで、着用者は、一般的な略長方形状の発熱体Ｈを、安定的に発熱体収容部１１ａに収容することが可能となる。
【００４９】
また、開口部Ａには、その開口を狭める幅狭部Ｗが形成されていることで、発熱体収容部１１ａに収容された発熱体Ｈの不意の脱離を防止することが可能となる。
【００５０】
また、開口部Ａが、伸縮性を有することで、着用者は、開口部Ａへの発熱体Ｈの挿入を容易に行うことが可能となる。
【００５１】
また、織物Ｐとして内部に空気を多く含むパイル織物を用いることで、発熱体Ｈの保温性をさらに向上させることが可能となる。
【００５２】
なお、本実施形態に係る下着装着体は、生理時に下着に装着されるナプキンの他、生理時以外の時に下着に装着されるパンティライナー（おりものシート）として使用することも可能である。
【００５３】
また、本実施形態において示した各構成部材の諸形状や寸法等は一例であって、設計要求等に基づき種々変更可能である。
【符号の説明】
【００５４】
１      下着装着体本体
１１    下着当接シート
１１ａ  発熱体収容部
１２    肌当接シート
１２ａ  隆起部
１３    羽根部
Ｐ      織物
Ｈ      発熱体
Ｒ      着脱手段
Ａ      開口部
Ｗ      幅狭部
Ｕ      下着
Ｕ１    クロッチ部
【図１】
2019187786.tif 000003
【図２】
2019187786.tif 000004
【図３】
2019187786.tif 000005
【図４】
2019187786.tif 000006
【図５】
2019187786.tif 000007